(57)【要約】　　　（修正有）【課題】課金設備を持たない駐車場を時間貸し駐車場とする、又は駐車場を検索・予約する方法を提供する。【解決手段】駐車場予約センター端末２０は、利用者端末１０から選択されたランドマークを検索キーに、ランドマークデータベース５０を検索し、ランドマーク周辺駐車場を検索し、検索された周辺駐車場一覧に対し、利用者が指定した日時の駐車場空情報を付加し、この一覧を利用者端末１０に表示し、利用者が選択した駐車場の詳細画面を駐車場データベース４０から検索し、駐車場詳細画面を利用者端末１０に表示し、指定した日時に予約し自動的に課金情報を生成することで、利用者に対し、将来の日時に対して空駐車を容易に検索・予約できるようにし、課金設備を持たない駐車場に対し、時間貸し駐車場を実現できるようにした。【選択図】　図１
2004102965.tif 000002
【特許請求の範囲】
【請求項１】
駐車場予約センター端末に、一つ以上の駐車場利用者側データ端末装置が通信手段を介して接続され、前記駐車場予約センター端末に登録された駐車場名称、所在地、利用可能期間、駐車可能台数、駐車可能車種、駐車料金等のうち一以上のデータからなる空き情報を含む駐車場データを格納する駐車場データベースと、前記各駐車場利用者側データ端末装置から送信された固有ＩＤ、メールアドレス、自動車登録番号、パスワード、決済情報等のうち一以上のデータからなる駐車場利用者データを格納する駐車場利用者データベースと、駐車場ＩＤ、利用者ＩＤ、予約日時等のうち一以上のデータからなる予約データを格納する予約データベースとを有し、前記駐車場データベースに格納されたデータを利用者が前記各駐車場利用者側データ端末装置を使用して空駐車場を検索し予約できるものであること、又は前記駐車場データベースに格納されたデータを利用者が前記各駐車場利用者側データ端末装置を使用して空駐車場を検索し予約でき、前記登録された決済情報に基づいて駐車場利用料金を決済機関に請求することを特徴とする駐車場予約、課金管理システム。
【請求項２】
駐車場予約センター端末が、
予約情報に基づき駐車場を利用した利用者に対し、駐車場オーナーに代わって、駐車場利用代金を計算する機能を有する駐車場予約、課金管理システム。
【請求項３】
前記駐車場予約、課金管理システムにおいて、予約済みの利用者が駐車場を利用する際、予約されている駐車位置に不正に駐車している自動車を管理センターに通報することで、代替の駐車場を紹介し、利用者がそれを承認した場合に代替駐車場に予約を振り替える機能を有する駐車場予約、課金管理システム。
【請求項４】
利用者データベース、駐車場データベースと予約データベースを使用して、課金可能な情報を生成する処理をコンピュータに実行させるためのプログラムを記録したコンピュータ読み取り可能な記録媒体。
【発明の詳細な説明】
【０００１】
【発明の属する技術分野】本発明は、時間貸し駐車に関する課金設備を持たない空き駐車場のデータを、通信ネットワーク上で借り手に提供し、課金するシステムに関するものである。
【０００２】
【従来の技術】時間貸し専用の課金設備を持つ駐車場については、課金と同時に入退場の情報を管理し、インターネット等で駐車場空場を提供することができたが、課金設備を持たない駐車場では、課金する事も空情報を提供する事もできなかった。
【０００３】
【発明が解決しようとする課題】時間貸し専用の課金設備を持たない駐車場に対し、駐車場の空情報提供機能と課金機能を持たせる事が本発明の課題である。
【０００４】
【課題を解決するための手段】本発明では、予約式の時間貸し駐車場とすることで、その予約情報により、現在だけでなく将来にわたる空情報を提供できるとともに、予約通りに駐車場の利用がされる事により、駐車場自体に課金設備を設置する事無く、駐車場利用者に利用料を課金できるようにした。
【０００５】
【発明の実施の形態】以下、本発明の実施の形態について図面を参照して説明する。
【０００６】図１は、本発明の実施の形態に係る駐車場予約、課金管理システムの構成を示すブロック図である。図１に示すように、本発明の実施の形態に係る駐車場予約、課金管理システムは、利用者端末１０と、駐車場予約センター端末２０と、利用者データベース３０と、駐車場データベース４０と、ランドマークデータベース５０と、予約データベース６０と、通報データベース７０と、これらを相互に接続するインターネット等の通信ネットワーク１００とから構成されている。
【０００７】利用者端末１０は、インターネットへのアクセスが可能で、個体識別可能な端末固有のＩＤとメールを受信する機能を持った携帯電話、ＰＤＡ（Ｐｅｒｓｏｎａｌ　Ｄｉｇｉｔａｌ　Ａｓｓｉｓｔａｎｔ）等のモバイル用情報処理装置でも良い。また、自動車の駐車場を検索するため、自動車に搭載されているナビゲーションシステム等からインターネットへのアクセスが可能であればなお良い。
【０００８】利用者端末１０は、ネットワーク１００を介して駐車場予約センター端末２０にアクセスする機能を有する。また、駐車場予約センター端末２０と相互にデータ通信を行う。
【０００９】利用者端末１０は、ネットワーク１００を介して駐車場予約センター端末２０に利用者情報、検索情報、予約情報、通報情報を送信する機能を有する。
【００１０】利用者情報とは、端末固有ＩＤ（利用者ＩＤとして利用）、メールアドレス、自動車登録番号、パスワード、決済情報等の情報であり、これらの各情報単独で、又は複数種を重ねることによって各利用者を検索するキー値となり、さらに利用者を特定するための情報をいう。
【００１１】検索情報とは、住所情報、ランドマーク情報、駐車場ＩＤ等の情報であり、これらの各情報単独で、又は複数種を重ねることによって駐車場を検索するキー値となる情報をいう。
【００１２】予約情報とは、端末固有ＩＤ、駐車場のＩＤ、予約開始日時、終了日時等の情報であり、これらの各情報で、特定の利用者が特定の駐車場を特定の期間予約するための情報をいう。
【００１３】通報情報とは、端末固有のＩＤ、駐車場のＩＤ、現在日時、自動車登録番号等の情報であり、これらの各情報で、特定の自動車が特定の駐車場（駐車位置を含む）を不正に使用している事を通報するための情報をいう。
【００１４】利用者端末１０は、駐車場予約センター端末２０から送信された画面情報を表示するＣＲＴモニタ，液晶ディスプレイ等の表示手段を備える。また、キーボード，タッチパネル等の入力手段を備える。
【００１５】駐車場予約センター端末２０は、ワークステーション等の情報処理装置によって構成されている。
【００１６】駐車場予約センター端末２０は、ネットワーク１００上にサービス情報を公開する機能を備えており、利用者より利用者登録、駐車場の検索依頼、駐車場の予約、不正駐車の通報を受け付ける機能をする。
【００１７】また、駐車場予約センター端末２０は、利用者データベース３０と、駐車場データベース４０と、ランドマークデータベース５０と、予約データベース６０と、通報データベース７０にアクセスする機能を有する。
【００１８】利用者データベース３０は、利用者情報（端末固有ＩＤ、メールアドレス、自動車登録番号、パスワード、決済情報等）を蓄積したデータベースであり、磁気ディスク記憶装置等の記憶装置によって実現される。
【００１９】このデータベースは利用者情報を端末固有ＩＤ、メールアドレス、自動車登録番号等から検索できる仕組みを持つ。
【００２０】ここで、利用者データベース３０が有する利用者情報テーブルの構成例を示す。図２は、利用者情報テーブルの構成例を示す図である。
【００２１】駐車場データベース４０は、駐車場情報（駐車場ＩＤ、駐車場名称、住所、地図ファイル名、駐車料金、営業時間、対象ランドマーク、対象ランドマーク距離等）を蓄積したデータベースであり、磁気ディスク記憶装置等の記憶装置によって実現される。
【００２２】このデータベースは駐車場情報を駐車場ＩＤ、駐車場名称、住所、対象ランドマーク等から検索できる仕組みを持つ。
【００２３】ここで、駐車場データベース４０が有する駐車場情報テーブルの構成例を示す。図３は、駐車場情報テーブルの構成例を示す図である。
【００２４】ランドマークデータベース５０は、ランドマーク情報（ランドマークＩＤ、ランドマーク名称、住所、地図ファイル名等）を蓄積したデータベースであり、磁気ディスク記憶装置等の記憶装置によって実現される。
【００２５】このデータベースはランドマーク情報をランドマークＩＤ、ランドマーク名称、住所等から検索できる仕組みを持つ。
【００２６】ここで、ランドマークデータベース５０が有するランドマーク情報テーブルの構成例を示す。図４は、ランドマーク情報テーブルの構成例を示す図である。
【００２７】予約データベース６０は、予約情報（予約ＩＤ、駐車場ＩＤ、端末固有ＩＤ、予約開始日時、予約終了日時等）を蓄積したデータベースであり、磁気ディスク記憶装置等の記憶装置によって実現される。
【００２８】このデータベースは予約情報を予約ＩＤ、駐車場ＩＤ、端末固有ＩＤ、予約開始日時、予約終了日時等から検索できる仕組みを持つ。
【００２９】ここで、予約データベース６０が有する予約情報テーブルの構成例を示す。図５は、予約情報テーブルの構成例を示す図である。
【００３０】通報データベース７０は、不正駐車の通報情報の保存に使用され、通報情報（通報ＩＤ、通報日時、駐車場ＩＤ、端末固有ＩＤ、自動車登録番号等）を蓄積したデータベースであり、磁気ディスク記憶装置等の記憶装置によって実現される。
【００３１】このデータベースは通報情報を通報ＩＤ、通報日時、駐車場ＩＤ、端末固有ＩＤ、自動車登録番号等から検索できる仕組みを持つ。
【００３２】ここで、通報データベース７０が有する通報情報テーブルの構成例を示す。図６は、通報情報テーブルの構成例を示す図である。
【実施例】
【００３３】次に、図１、７、８、９、１０及び図１１を参照して実施の形態の動作について詳細に説明する。ここで、図７は、実施の形態の動作を示す図であり、図１２、１３、１４、１５、１６、１７及び図１８は、画面の構成例を示す図であり、図１９及び図２０は、集計レポートの構成例を示す図である。なお、以降の説明では、ネットワーク１００はインターネットであるとする。
【００３４】（利用者の登録）図７を参照すると、利用者端末１０はネットワーク１００を利用して駐車場予約センター端末２０の利用者登録画面（図１２）にアクセスする（ステップＡ１）。
【００３５】利用者は利用者端末１０で利用者登録画面の必要事項を記入し、ネットワーク１００を利用して駐車場予約センター端末２０へ利用者情報を送信する（ステップＡ２）。
【００３６】駐車場予約センター端末２０は受信した利用者情報を利用者データベース３０に記録する（ステップＡ３）。
【００３７】（空駐車場の検索）図８を参照すると、利用者端末１０はネットワーク１００を利用して駐車場予約センター端末２０の駐車場検索画面（図１３）にアクセスする（ステップＢ１）。
【００３８】利用者は利用者端末１０で駐車場検索画面で、例えば、住所や、ランドマークの名称をキー値として検索を行い、該当するランドマークＩＤを含むランドマークデータを取り出す（ステップＢ２）。
【００３９】駐車場予約センター端末２０は、取り出したランドマークＩＤから、駐車場データベース４０を検索し近隣の駐車場データを取り出す（ステップＢ３）。
【００４０】駐車場予約センター端末２０は、この駐車場データに基づいてランドマーク周辺駐車場一覧情報を生成する（ステップＢ４）。
【００４１】駐車場予約センター端末２０は、同時に、予約データベース６０を検索し、現在の駐車場空情報をランドマーク周辺駐車場一覧情報に付加する（ステップＢ５）。
【００４２】駐車場予約センター端末２０は、現在の駐車場空情報を含んだランドマーク周辺駐車場一覧画面（図１４）を利用者端末１０へ送信し表示させる（ステップＢ６）。
【００４３】（空駐車場の予約）続いて、図９を参照すると、利用者は、駐車場予約センター端末２０より、利用者端末１０が受信し表示したランドマーク周辺駐車場一覧画面に、予約したい日時を入力し駐車場予約センター端末２０に送信する（ステップＣ１）。
【００４４】駐車場予約センター端末２０は、この日時をキー値として再度予約データベース６０を検索する（ステップＣ２）。
【００４５】駐車場予約センター端末２０は、検索の結果抽出された、指定日時の駐車場空情報をランドマーク周辺駐車場一覧情報に付加する（ステップＣ３）。
【００４６】駐車場予約センター端末２０は、指定日時の駐車場空情報を含んだランドマーク周辺駐車場一覧画面を利用者端末１０へ送信し表示させる（ステップＣ４）。
【００４７】次に、利用者が利用者端末１０に表示された指定日時の駐車場空情報を含んだランドマーク周辺駐車場一覧画面より一つの駐車場を指定すると駐車場ＩＤにより、駐車場詳細情報画面（図１５）が表示される（ステップＣ５）。
【００４８】利用者が利用者端末１０に表示された駐車場詳細情報画面で、予約ボタンを押すと、この駐車場について指定した日時の予約情報が駐車場予約センター端末２０に送信される（ステップＣ６）。
【００４９】予約情報を受信した駐車場予約センター端末２０は、端末固有ＩＤで検索された利用者データベースより決済情報を取出し、決済機関に対し照会が行われる（ステップＣ７）。
【００５０】照会の結果課金完了したものについて、駐車場予約センター端末２０は予約が完了したものとして、予約データベース６０に予約情報を記録する（ステップＣ８）。
【００５１】駐車場予約センター端末２０は、同時に利用者端末１０に予約完了画面（図１６）を送信する（ステップＣ９）。
【００５２】照会の結果課金が不可能な場合は、駐車場予約センター端末２０は利用者端末１０に予約不可画面（図１７）を送信する（ステップＣ１０）。
【００５３】このような構成により、利用者は、自分が訪問したいランドマークの周辺の駐車場情報と指定日時の駐車場空情報を一覧として迅速かつ容易に得ることができ、希望日時に自分の自動車を確実に入れることができる駐車場を、容易に検索し予約することができる。
【００５４】（不正駐車の通報）図１０を参照すると、他の自動車が不正に駐車されていて、利用者が正規に予約した駐車場に駐車できない場合、駐車場に掲示してある駐車場ＩＤと不正に駐車している自動車の自動車登録番号を通報画面（図１８）を利用して、駐車場予約センター端末２０に通報する事ができる。
【００５５】利用者端末１０はネットワーク１００を利用して駐車場予約センター端末２０の通報画面にアクセスする（ステップＤ１）。
【００５６】利用者は利用者端末１０で通報画面に通報情報を記入し、ネットワーク１００を利用して駐車場予約センター端末２０へ送信する（ステップＤ２）。
【００５７】通報情報を受信した駐車場予約センター端末２０は、もっとも近い代替の駐車場を駐車場データベース４０と、予約データベース６０で検索する（ステップＤ３）。
【００５８】検索の結果作成された代替駐車場の情報を新たな予約情報として、通報した正規の利用者の利用者端末１０に送信する（ステップＤ４）。
【００５９】同時に予約の振替として予約データベース６０に記録する（ステップＤ５）。
【００６０】さらに通報されたデータを、通報データベース７０に記録する（ステップＤ６）。
【００６１】（駐車場利用料の清算）図１１を参照すると、毎月末等の締め処理として、駐車場予約センター端末２０は、予約データベース６０の対象期間のデータを利用者ＩＤ毎に集計する（ステップＥ１）。
【００６２】駐車場予約センター端末２０は、集計された利用者毎の利用データを利用者集計レポート（図１９）として出力する（ステップＥ２）。
【００６３】このレポート又はデータにより、決済機関に対して駐車場利用料の請求が行える。
【００６４】毎月末等の締め処理として、駐車場予約センター端末２０は、予約データベース６０の対象期間のデータを駐車場ＩＤ毎に集計する（ステップＥ３）。
【００６５】集計された駐車場毎の利用データを駐車場集計レポート（図２０）として出力する（ステップＥ４）。
【００６６】このレポート又はデータにより、駐車場オーナーに対して駐車場利用料の支払が行える。
【００６７】
【発明の効果】以上説明したように、本発明によれば、第１の効果として、時間貸し用の課金設備を持たない駐車場でも、追加の設備を設置する事なく時間貸し駐車場の運営ができる。また、第２の効果として、自分の自動車を希望した日時に確実に入れることが可能な駐車場を容易に検索し予約できる。そして、第３の効果として、利用者が目的地であるランドマークを指定するだけで、近隣の駐車場の情報を知らなくても、指定日時に自動車を入れることができる駐車場を容易に探すことができる。加えて、第４の効果として、駐車場の混雑の状況を、タイムリーに伝えることができる。また、第５の効果として、駐車場を持たない店舗が近隣駐車場を紹介する事で顧客サービスの向上をはかることができる。さらに、第６の効果として、駐車場の予約を行うことにより、確実に駐車ができる。また、第７の効果として、利用者が無料でこのシステムを利用することができる。そして、第８の効果として、駐車場の効果的な広告宣伝を行うことができる。
【図面の簡単な説明】
【図１】駐車場予約、課金管理システムの構成を示したブロック図である。
【図２】利用者情報テーブルの構成例を示した図である。
【図３】駐車場情報テーブルの構成例を示した図である。
【図４】ランドマーク情報テーブルの構成例を示した図である。
【図５】予約情報テーブルの構成例を示した図である。
【図６】通報情報テーブルの構成例を示した図である。
【図７】利用者の登録フローチャートを示した図である。
【図８】空駐車場の検索フローチャートを示した図である。
【図９】空駐車場の予約フローチャートを示した図である。
【図１０】不正駐車の通報と代替駐車場への予約振替フローチャートを示した図である。
【図１１】駐車場利用料の清算フローチャートを示した図である。
【図１２】利用者登録画面の構成例を示した図である。
【図１３】駐車場検索画面の構成例を示した図である。
【図１４】ランドマーク周辺駐車場一覧画面の構成例を示した図である。
【図１５】駐車場詳細情報画面の構成例を示した図である。
【図１６】予約完了画面の構成例を示した図である。
【図１７】予約不可画面の構成例を示した図である。
【図１８】通報画面の構成例を示した図である。
【図１９】利用者集計レポートの構成例を示した図である。
【図２０】駐車場集計レポートの構成例を示した図である。
【符号の説明】
１０　利用者端末
２０　駐車場予約センター端末
３０　利用者データベース
４０　駐車場データベース
５０　ランドマークデータベース
６０　予約データベース
７０　通報データベース
１００　通信ネットワーク
【図１】
2004102965.tif 000003
【図２】
2004102965.tif 000004
【図３】
2004102965.tif 000005
【図４】
2004102965.tif 000006
【図５】
2004102965.tif 000007
【図６】
2004102965.tif 000008
【図７】
2004102965.tif 000009
【図８】
2004102965.tif 000010
【図９】
2004102965.tif 000011
【図１０】
2004102965.tif 000012
【図１１】
2004102965.tif 000013
【図１２】
2004102965.tif 000014
【図１３】
2004102965.tif 000015
【図１４】
2004102965.tif 000016
【図１５】
2004102965.tif 000017
【図１６】
2004102965.tif 000018
【図１７】
2004102965.tif 000019
【図１８】
2004102965.tif 000020
【図１９】
2004102965.tif 000021
【図２０】
2004102965.tif 000022